(57)【要約】  【課題】他装置で利用するＭｙパネルを、自装置に実装されていない機能も含めて作成することができる画像形成装置を提供する。  【解決手段】ＭＦＰ１（１０）のＭｙパネル作成部１１１は、ネットワーク接続ユニット１０１を介して、Ｍｙパネルサーバ２０からＭＦＰ２（３０）の最大オプション構成を取得する。そして、Ｍｙパネル作成部１１１は、取得したＭＦＰ２（３０）の最大オプション構成に基づき、ＭＦＰ２（３０）で利用するためのＭｙパネルを作成する。【選択図】図２
2011019090.tif 000002
【特許請求の範囲】
【請求項１】
画像形成装置とサーバ装置とがネットワークを介して接続されている画像処理システムであって、
前記画像形成装置は、
他の画像形成装置に実装可能な全てのオプション機能を示す最大オプション構成を取得する取得手段と、
前記他の画像形成装置の操作パネルに表示させるためのカスタマイズ画面である外部利用画面を、取得した前記最大オプション構成に基づき作成する作成手段と、
作成された前記外部利用画面を示す設定情報を、前記サーバ装置に送信する送信手段とを備え、
前記サーバ装置は、
前記画像形成装置から送信された前記設定情報を記憶するカスタマイズ画面記憶手段を備える
ことを特徴とする画像処理システム。
【請求項２】
前記サーバ装置は、
前記他の画像形成装置に実装可能な全てのオプション機能を示す前記最大オプション構成を記憶しているオプション構成記憶手段を備え、
前記取得手段は、前記サーバ装置から、前記最大オプション構成を取得し、
前記作成手段は、
前記他の画像形成装置に実装されている標準機能、及び、前記取得手段が取得した前記最大オプション構成に含まれるオプション機能のうち、外部利用画面に表示する機能をユーザから受け付ける受付部と、
前記受け付けた機能に対応する操作キーを含む前記外部利用画面を作成する作成部とを含む
ことを特徴とする請求項１に記載の画像処理システム。
【請求項３】
前記カスタマイズ画面記憶手段は、前記画像形成装置の操作パネルに表示させるカスタマイズ画面であって、前記外部利用画面への遷移を示す遷移キーを含む通常利用画面を示す設定情報を、前記外部利用画面を示す設定情報と対応付けて格納しており、
前記画像形成装置は、
前記サーバ装置から、前記通常利用画面を示す設定情報と前記外部利用画面を示す設定情報とを取得する取得手段と、
前記操作パネルに前記通常利用画面が表示されている状態において、ユーザにより前記遷移キーが選択されると、前記通常利用画面に替えて、前記外部利用画面を表示する表示制御手段とを備える
ことを特徴とする請求項１又は請求項２に記載の画像処理システム。
【請求項４】
前記画像形成装置は、さらに、前記操作パネルに表示する各種画面の表示言語を複数の言語から選択できる多言語表示機能を有し、
前記作成手段は、前記外部利用画面の表示言語を、前記多言語表示機能が有する前記複数の言語のうちの何れかに設定する言語設定部を含み、
前記送信手段は、設定された表示言語を、前記外部利用画面を示す設定情報と対応付けて前記サーバ装置に送信し、
前記カスタマイズ画面記憶手段は、前記外部利用画面を示す設定情報と前記表示言語とを対応付けて記憶する
ことを特徴とする請求項１乃至請求項３のいずれか１項に記載の画像処理システム。
【請求項５】
前記サーバ装置は、さらに、
前記他の画像形成装置が有する機能のうち、ユーザの利用が制限されている機能を示す利用制限情報を管理する利用制限管理手段を備える
ことを特徴とする請求項１乃至請求項４のいずれか１項に記載の画像処理システム。
【請求項６】
前記他の画像形成装置は、
前記画像形成装置から前記外部利用画面を示す前記設定情報を取得するリモートアクセス手段と、
前記リモートアクセス手段が取得した前記設定情報に基づき前記外部利用画面を生成し、生成した前記外部利用画面を、操作パネルに表示する表示制御手段とを備え、
前記画像形成装置は、
前記他の画像形成装置から前記外部利用パネルを示す前記設定情報の要求を受け付ける受付手段と、
前記受付手段が前記要求を受け付けると、前記サーバ装置から前記外部利用画面を示す前記設定情報を取得し、取得した前記設定情報を前記他の画像形成装置へ転送する転送手段とを備える
ことを特徴とする請求項１乃至請求項５のいずれか１項に記載の画像処理システム。
【請求項７】
前記他の画像形成装置の表示制御手段は、
前記外部利用画面に含まれる操作キーのうち、利用できない機能に対応する操作キーを、ユーザが選択不可能な表示に変更して、前記操作パネルに表示する
ことを特徴とする請求項１乃至請求項６のいずれか１項に記載の画像処理システム。
【請求項８】
前記利用できない機能とは、当該他の画像形成装置に実装されていない機能であって、
前記他の画像形成装置の表示制御手段は、前記外部利用画面に含まれる操作キーのうち、当該画像形成装置に実装されていない機能に対応する操作キーを、ユーザが選択不可能な表示に変更する
ことを特徴とする請求項１乃至請求項７のいずれか１項に記載の画像処理システム。
【請求項９】
前記利用できない機能とは、前記ユーザによる利用が制限されている機能であって、
前記他の画像形成装置の表示制御手段は、前記利用制限情報を取得し、前記外部利用画面に含まれる操作キーのうち、前記利用制限情報が示す機能に対応する操作キーを、ユーザが選択不可能な表示に変更する
ことを特徴とする請求項１乃至請求項７のいずれか１項に記載の画像処理システム。
【請求項１０】
前記転送手段は、前記サーバ装置から、さらに、前記設定情報に対応付けられている表示言語を取得し、
前記画像形成装置の表示制御手段は、
前記サーバ装置から取得した前記設定情報に基づき、前記外部利用画面を生成する第１生成部と、
前記多言語表示機能を用いて、前記第１生成部が生成した前記外部利用画面を前記表示言語に変換して画面情報を生成する第２生成部とを備え、
前記画面情報が生成されると、前記設定情報に替えて、前記画面情報を前記他の画像形成装置に転送し、
前記他の画像形成装置の表示制御部は、
前記画面情報を取得すると、前記設定情報に基づき前記外部利用画面を生成する処理に替えて、取得した前記画面情報を前記操作パネルに表示するように制御する
ことを特徴とする請求項１乃至請求項７のいずれか１項に記載の画像処理システム。
【請求項１１】
前記他の画像形成装置は、
前記サーバ装置から前記外部利用画面を示す設定情報を取得する取得手段と、
前記取得手段が取得した前記設定情報に基づき、前記外部利用画面を操作パネルに表示する表示制御手段とを備える
ことを特徴とする請求項１乃至請求項５のいずれか１項に記載の画像処理システム。
【請求項１２】
ネットワークを介して画像形成装置と接続可能なサーバ装置であって、
前記画像形成装置とは異なる他の画像形成装置に実装可能な全てのオプション機能を示す最大オプション構成を記憶しているオプション構成記憶手段と、
前記画像形成装置から要求を受け、前記最大オプション構成を前記画像形成装置へ送信する第１送信手段と、
前記画像形成装置から、前記他の画像形成装置の操作パネルに表示させるためのカスタマイズ画面である外部利用画面を示す設定情報を受信する受信手段と、
受信した前記設定情報を記憶するカスタマイズ画面記憶手段と、
前記設定情報を前記画像形成装置又は前記他の画像形成装置へ送信する第２送信手段と
を備えることを特徴とするサーバ装置。
【請求項１３】
ネットワークを介してサーバ装置と接続可能な画像形成装置であって、
他の画像形成装置に実装可能な全てのオプション機能を示す最大オプション構成を取得する取得手段と、
前記他の画像形成装置の操作パネルに表示させるためのカスタマイズ画面である外部利用画面を、取得した前記最大オプション構成に基づき作成する作成手段と、
作成された前記外部利用画面を示す設定情報を、前記サーバ装置に送信する送信手段と
を備えることを特徴とする画像形成装置。
【請求項１４】
ネットワークを介して他の画像形成装置と接続可能な画像形成装置であって、
自装置の最大オプション構成に基づき作成されたカスタマイズ画面を示す設定情報を前記他の画像形成装置から取得するリモートアクセス手段と、
前記リモートアクセス手段が取得した前記設定情報に基づき前記カスタマイズ画面を生成し、生成した前記カスタマイズ画面を、操作パネルに表示する表示制御手段と
を備えることを特徴とする画像形成装置。
【請求項１５】
ネットワークを介して画像形成装置と接続可能なサーバ装置で実行可能なコンピュータプログラムであって、
前記コンピュータプログラムは、
前記画像形成装置から要求を受け、前記画像形成装置とは異なる他の画像形成装置に実装可能な全てのオプション機能を示す最大オプション構成を記憶部から読み出し、前記画像形成装置に送信する第１送信ステップと、
前記画像形成装置から、前記他の画像形成装置の操作パネルに表示させるためのカスタマイズ画面である外部利用画面を示す設定情報を受信する受信ステップと、
受信した前記設定情報を前記サーバ装置の前記記憶部に記録するカスタマイズ画面記録ステップと、
前記設定情報を前記画像形成装置又は前記他の画像形成装置へ送信する第２送信ステップとを含む
ことを特徴とするコンピュータプログラム。
【請求項１６】
ネットワークを介してサーバ装置と接続可能な画像形成装置で実行可能なコンピュータプログラムであって、
他の画像形成装置に実装可能な全てのオプション機能を示す最大オプション構成を前記サーバ装置から取得する取得ステップと、
前記他の画像形成装置の操作パネルに表示させるためのカスタマイズ画面である外部利用画面を、取得した前記最大オプション構成に基づき作成する作成ステップと、
作成された前記外部利用画面を示す設定情報を、前記サーバ装置に送信する送信ステップと
を含むことを特徴とするコンピュータプログラム。
【請求項１７】
他の画像形成装置と通信可能な画像形成装置で実行可能なコンピュータプログラムであって、
当該画像形成装置の最大オプション構成に基づき作成されたカスタマイズ画面を示す設定情報を前記他の画像形成装置から取得するリモートアクセスステップと、
前記リモートアクセスステップが取得した前記設定情報に基づき前記カスタマイズ画面を生成し、生成した前記カスタマイズ画面を、操作パネルに表示する表示制御ステップと
を含むことを特徴とするコンピュータプログラム。
【発明の詳細な説明】
【技術分野】
【０００１】
本発明は、画像形成装置の操作パネルに表示する画面をカスタマイズする技術に関し、特に、ユーザが普段利用している画像形成装置とは異なる画像形成装置で用いるためのカスタマイズ画面を生成する技術に関する。
【背景技術】
【０００２】
近年、画像形成装置の操作パネルに表示する画面を、ユーザ毎にカスタマイズすることが可能となってきている。例えば、使用頻度の高い機能を選択し、そのショートカットキーを並べて、自分専用のＭｙパネルを作成することができる。
Ｍｙパネルの設定情報はサーバに保存しておき、ＭＦＰがサーバからＭｙパネルの設定情報を取得することで、ＭＦＰの操作パネルの初期画面に、ユーザ毎のＭｙパネルを表示することも可能である。
【先行技術文献】
【特許文献】
【０００３】
【特許文献１】特開２００７−５５０９９号公報
【発明の概要】
【発明が解決しようとする課題】
【０００４】
ここで、ユーザが出張先のＭＦＰに表示させるＭｙパネルを、予め、普段使用しているＭＦＰで作成しておきたいという要望がある。
Ｍｙパネルに表示するショートカットキーは、そのＭＦＰに実装されている機能の範囲内でしか作成することができない。そのため、出張先のＭＦＰが普段使用しているＭＦＰと異なる製品であって、異なるオプション機能を有していても、その機能を十分に活用できるようなＭｙパネルを予め作ることはできない。
【０００５】
本発明は上記の問題点を解決するための発明であって、他装置で利用するＭｙパネルを、自装置に実装されていない機能も含めて作成することができる画像処理システム、サーバ装置、画像形成装置及びコンピュータプログラムを提供することを目的とする。
【課題を解決するための手段】
【０００６】
上記の目的を達成するために、本発明は、画像形成装置とサーバ装置とがネットワークを介して接続されている画像処理システムであって、前記画像形成装置は、他の画像形成装置に実装可能な全てのオプション機能を示す最大オプション構成を取得する取得手段と、前記他の画像形成装置の操作パネルに表示させるためのカスタマイズ画面である外部利用画面を、取得した前記最大オプション構成に基づき作成する作成手段と、作成された前記外部利用画面を示す設定情報を、前記サーバ装置に送信する送信手段とを備え、前記サーバ装置は、前記画像形成装置から送信された前記設定情報を記憶するカスタマイズ画面記憶手段を備えることを特徴とする。
【０００７】
この構成によると、前記画像形成装置は、前記他の画像形成装置の最大オプション構成を取得するので、最大オプション構成に基づいて外部利用画面を作成することができる。即ち、出張先のＭＦＰ（前記他の画像形成装置）が普段使用しているＭＦＰ（前記画像形成装置）と異なる製品であって、異なるオプション機能を有していても、普段使用しているＭＦＰを用いて、出張先のＭＦＰの機能を十分に活用できるようなＭｙパネル（外部利用画面）を予め作成することができる。
【発明の効果】
【０００８】
本発明によると、前記画像形成装置は、前記他の画像形成装置の最大オプション構成を取得するので、最大オプション構成に基づいて外部利用画面を作成することができる。即ち、出張先のＭＦＰ（前記他の画像形成装置）が普段使用しているＭＦＰ（前記画像形成装置）と異なる製品であって、異なるオプション機能を有していても、普段使用しているＭＦＰを用いて、出張先のＭＦＰの機能を十分に活用できるようなＭｙパネル（外部利用画面）を予め作成することができる。
【図面の簡単な説明】
【０００９】
【図１】画像処理システム１のシステム構成を示す図である。
【図２】ＭＦＰ１（１０）の構成を示すブロック図である。
【図３】操作パネル１０５に表示される通常利用パネル１２０を示す図である。
【図４】外部利用パネルを作成する際に、操作パネル１０５に表示される設定項目選択画面１３０を示す図である。
【図５】外部利用パネルを作成する際に、操作パネル１０５に表示される表示言語選択画面１４０を示す図である。
【図６】ＭＦＰ１（１０）の操作パネル１０５に表示される外部利用パネル１５０を示す図である。
【図７】Ｍｙパネルサーバ２０の構成を示すブロック図である。
【図８】Ｍｙパネルサーバ２０に記憶されているオプション構成テーブル２１０のデータ構成を示す図である。
【図９】（ａ）Ｍｙパネルサーバ２０に記憶されているＭｙパネルテーブル２２０のデータ構成を示す図である。（ｂ）Ｍｙパネルサーバ２０に記憶されている項目テーブル２２５のデータ構成を示す図である。
【図１０】Ｍｙパネルサーバ２０に記憶されている利用制限テーブル２３０のデータ構成を示す図である。
【図１１】ＭＦＰ２（３０）の構成を示すブロック図である。
【図１２】外部利用パネルを取得する際に、操作パネル３０５に表示される外部利用パネル取得画面３２０を示す図である。
【図１３】操作パネル３０５に表示される外部利用パネル３３０を示す図である。
【図１４】外部利用パネルを生成する動作を示すフローチャートである。
【図１５】外部利用パネルを利用する動作を示すフローチャートであり、図１６に続く。
【図１６】外部利用パネルを利用する動作を示すフローチャートであり、図１５から続く。
【図１７】第２の実施形態における外部利用パネルを利用する動作を示すフローチャートである。
【発明を実施するための形態】
【００１０】
請求項１に記載の態様である画像処理システムは、画像形成装置とサーバ装置とがネットワークを介して接続されている画像処理システムであって、前記画像形成装置は、他の画像形成装置に実装可能な全てのオプション機能を示す最大オプション構成を取得する取得手段と、前記他の画像形成装置の操作パネルに表示させるためのカスタマイズ画面である外部利用画面を、取得した前記最大オプション構成に基づき作成する作成手段と、作成された前記外部利用画面を示す設定情報を、前記サーバ装置に送信する送信手段とを備え、前記サーバ装置は、前記画像形成装置から送信された前記設定情報を記憶するカスタマイズ画面記憶手段を備えることを特徴とする。
【００１１】
請求項２に記載に態様である画像処理システムにおいて、前記サーバ装置は、前記他の画像形成装置に実装可能な全てのオプション機能を示す前記最大オプション構成を記憶しているオプション構成記憶手段を備え、前記取得手段は、前記サーバ装置から、前記最大オプション構成を取得し、前記作成手段は、前記他の画像形成装置に実装されている標準機能、及び、前記取得手段が取得した前記最大オプション構成に含まれるオプション機能のうち、外部利用画面に表示する機能をユーザから受け付ける受付部と、前記受け付けた機能に対応する操作キーを含む前記外部利用画面を作成する作成部とを含むように構成してもよい。
【００１２】
この構成によると、サーバ装置が前記他の画像形成装置の最大オプション構成を管理しているので、前記画像形成装置は、サーバ装置から前記最大オプション構成を取得することにより、自装置に実装されていない機能の範囲で、外部利用画面を作成することができる。
請求項３に記載の態様である画像処理システムにおいて、前記カスタマイズ画面記憶手段は、前記画像形成装置の操作パネルに表示させるカスタマイズ画面であって、前記外部利用画面への遷移を示す遷移キーを含む通常利用画面を示す設定情報を、前記外部利用画面を示す設定情報と対応付けて格納しており、前記画像形成装置は、前記サーバ装置から、前記通常利用画面を示す設定情報と前記外部利用画面を示す設定情報とを取得する取得手段と、前記操作パネルに前記通常利用画面が表示されている状態において、ユーザにより前記遷移キーが選択されると、前記通常利用画面に替えて、前記外部利用画面を表示する表示制御手段とを備えるように構成してもよい。
【００１３】
この構成によると、画像形成装置は、操作パネルの表示を通常利用画面から外部利用画面へ容易に遷移させることができるので、操作性や視認性が向上し、ユーザは、各画面の確認及び更新を速やかに行うことができる。
請求項４に記載に態様である画像処理システムにおいて、前記画像形成装置は、さらに、前記操作パネルに表示する各種画面の表示言語を複数の言語から選択できる多言語表示機能を有し、前記作成手段は、前記外部利用画面の表示言語を、前記多言語表示機能が有する前記複数の言語のうちの何れかに設定する言語設定部を含み、前記送信手段は、設定された表示言語を、前記外部利用画面を示す設定情報と対応付けて前記サーバ装置に送信し、前記カスタマイズ画面記憶手段は、前記外部利用画面を示す設定情報と前記表示言語とを対応付けて記憶するように構成してもよい。
【００１４】
この構成によると、画像形成装置が多言語表示機能を有している場合には、例えば、外部利用画面ごとに異なる表示言語を設定することも可能であり、よりユーザの利便性を向上させることができる。
請求項５に記載の態様である画像処理システムにおいて、前記サーバ装置は、さらに、前記他の画像形成装置が有する機能のうち、ユーザの利用が制限されている機能を示す利用制限情報を管理する利用制限管理手段を備えるように構成してもよい。
【００１５】
この構成によると、前記画像形成装置及び前記他の画像形成装置では、サーバ装置から前記利用制限情報を取得することにより、これを反映させた通常利用画面、外部利用画面をユーザに提示することができる。
請求項６に記載の態様である画像処理システムにおいて、前記他の画像形成装置は、前記画像形成装置から前記外部利用画面を示す前記設定情報を取得するリモートアクセス手段と、前記リモートアクセス手段が取得した前記設定情報に基づき前記外部利用画面を生成し、生成した前記外部利用画面を、操作パネルに表示する表示制御手段とを備え、前記画像形成装置は、前記他の画像形成装置から前記外部利用パネルを示す前記設定情報の要求を受け付ける受付手段と、前記受付手段が前記要求を受け付けると、前記サーバ装置から前記外部利用画面を示す前記設定情報を取得し、取得した前記設定情報を前記他の画像形成装置へ転送する転送手段とを備えるように構成してもよい。
【００１６】
この構成によると、他の画像形成装置は、自装置の最大オプション構成に基づき作成された外部利用画面を表示することができるので、ユーザは、出張先の画像形成装置の機能を最大限に利用することができる。
また、他の画像形成装置は、サーバ装置にネットワーク接続されている前記画像形成装置にリモートアクセスし、前記画像形成装置に前記設定情報の転送を依頼するので、自装置が直接サーバ装置にアクセスできない場合であっても、前記画像形成装置を介して、前記設定情報を取得することができる。
【００１７】
請求項７に記載の態様である画像処理システムにおいて、前記他の画像形成装置の表示制御手段は、前記外部利用画面に含まれる操作キーのうち、利用できない機能に対応する操作キーを、ユーザが選択不可能な表示に変更して、前記操作パネルに表示するように構成してもよい。
請求項８に記載の態様である画像処理システムにおいて、前記利用できない機能とは、当該他の画像形成装置に実装されていない機能であって、前記他の画像形成装置の表示制御手段は、前記外部利用画面に含まれる操作キーのうち、当該画像形成装置に実装されていない機能に対応する操作キーを、ユーザが選択不可能な表示に変更するとしてもよい。
【００１８】
請求項９に記載の態様である画像処理システムにおいて、前記ユーザによる利用が制限されている機能であって、前記他の画像形成装置の表示制御手段は、前記利用制限情報を取得し、前記外部利用画面に含まれる操作キーのうち、前記利用制限情報が示す機能に対応する操作キーを、ユーザが選択不可能な表示に変更するとしてもよい。
通常、ユーザが利用できない機能を選択すると、操作パネルにはエラーメッセージが表示される。しかし、上記の構成によれば、ユーザが利用できない機能を選択不可能にすることにより、操作パネルにエラーメッセージが表示されないので、ユーザは煩わしさを感じることなく、操作を継続することできる。
【００１９】
請求項１０に記載の態様である画像処理システムにおいて、前記転送手段は、前記サーバ装置から、さらに、前記設定情報に対応付けられている表示言語を取得し、前記画像形成装置の表示制御手段は、前記サーバ装置から取得した前記設定情報に基づき、前記外部利用画面を生成する第１生成部と、前記多言語表示機能を用いて、前記第１生成部が生成した前記外部利用画面を前記表示言語に変換して画面情報を生成する第２生成部とを備え、前記画面情報が生成されると、前記設定情報に替えて、前記画面情報を前記他の画像形成装置に転送し、前記他の画像形成装置の表示制御部は、前記画面情報を取得すると、前記設定情報に基づき前記外部利用画面を生成する処理に替えて、取得した前記画面情報を前記操作パネルに表示するように制御するように構成してもよい。
【００２０】
従来、ユーザが出張先のＭＦＰで中国語のＭｙパネルを利用したい場合、出張先のＭＦＰにおいて、中国語の言語データをインストールする必要があった。しかし、プログラムや言語データのインストールは一般的にサービスマンに委ねられており、出張前に中国語を使用できるようにしておくのは困難であった。
そこで、上記の構成を備えることにより、前記他の画像形成装置が多言語表示機能を備えていない場合や、多言語表示機能を備えていても、対応する表示言語の変換プログラムや言語データがインストールされていない場合であっても、設定された表示言語の外部利用パネルを表示することができる。
【００２１】
請求項１１に記載の態様である画像処理システムにおいて、前記他の画像形成装置は、前記サーバ装置から前記外部利用画面を示す設定情報を取得する取得手段と、前記取得手段が取得した前記設定情報に基づき、前記外部利用画面を操作パネルに表示する表示制御手段とを備えるように構成してもよい。
この構成によると、他の画像形成装置は、自装置の最大オプション構成に基づき作成された外部利用パネルを表示することができるので、ユーザは、出張先の画像形成装置の機能を最大限に利用することができる。
≪第１の実施形態≫
本発明に係る第１の実施形態として、画像処理システム１について図面を参照して説明する。
＜構成＞
ここでは、画像処理システム１の構成について説明する。
【００２２】
図１は、画像処理システム１の全体構成を示すシステム構成図である。
同図に示すように、画像処理システム１は、画像形成装置であるＭＦＰ（Ｍｕｌｔｉ  Ｆｕｎｃｔｉｏｎ  Ｐｅｒｉｐｈｅｒａｌ）１（１０）、Ｍｙパネルサーバ２０、ＭＦＰ２（３０）及びＭＦＰ３（４０）から構成される。
ＭＦＰ１（１０）及びＭｙパネルサーバ２０は、大阪オフィスに設置された機器であり、ＭＦＰ２（３０）は、名古屋オフィスに設置された機器であり、ＭＦＰ３（４０）は、東京オフィスに設置された機器である。
【００２３】
ＭＦＰ１（１０）、ＭＦＰ２（３０）及びＭＦＰ３（４０）は、コピー機能、プリンタ機能、ＦＡＸ機能などを備えた多機能複合機器である。
Ｍｙパネルサーバ２０は、ＭＦＰ１（１０）で作成されたＭｙパネルを管理するサーバ装置である。
画像処理システム１は、ユーザが普段使用しているＭＦＰを用いて、出張先のＭＦＰで利用するＭｙパネルをカスタマイズ画面として作成し、作成したＭｙパネルを、出張先のＭＦＰで利用するシステムである。
【００２４】
なお、本実施形態では、ユーザが普段使用しているＭＦＰで利用するＭｙパネルを「通常利用パネル（通常利用画面）」と呼称し、それ以外のＭＦＰで利用するＭｙパネルを「外部利用パネル（外部利用画面）」と呼称する。
また、本実施形態におけるＭｙパネルは、ユーザ毎に作成することができる。即ち、ユーザＡは、自分専用のＭｙパネル（通常利用パネル及び外部利用パネル）を作成することができ、ユーザＢもまた、自分専用のＭｙパネル（通常利用パネル及び外部利用パネル）を作成することができる。
【００２５】
本実施形態では、大阪オフィスに在籍するユーザＡが、普段大阪オフィスで使用しているＭＦＰ１（１０）を用いて、名古屋オフィスに出張したときに、出張先に設置されているＭＦＰ２（３０）、即ち、他の画像形成装置で利用する外部利用パネルを作成するという具体例について説明する。
１．ＭＦＰ１（１０）の構成
図２は、ＭＦＰ１（１０）の構成を示すブロック図である。
【００２６】
同図に示すように、ＭＦＰ１（１０）は、ネットワーク接続ユニット１０１、プリンタユニット１０２、ＦＡＸユニット１０３、スキャナユニット１０４、操作パネル１０５及び制御ユニット１０６から構成される。
ネットワーク接続ユニット１０１は、ＭＦＰ１（１０）をネットワークに接続するためのポートを備える。ＭＦＰ１（１０）は、ネットワークを介してＭｙパネルサーバ２０、ＭＦＰ２（３０）及びＭＦＰ（４０）と情報の送受信を行う。
【００２７】
プリンタユニット１０２は、制御ユニット１０６からプリントジョブを受け付けると、印刷用に変換されたデータを用紙に印刷し紙文書として出力する。
ＦＡＸユニット１０３は、公衆回線を介してＦＡＸデータを送受信するためのモデムとして機能する。
スキャナユニット１０４は、制御ユニット１０６がスキャン処理を受け付けると、紙原稿から文字、図形或いは写真等の画像を読み取って、電子データからなる画像データを生成する。なお、スキャナユニット１０４には、複数の紙原稿を自動で読み取るＡＤＦや、両面スキャンを行うためのＤｕｐｌｅｘ機能を有する装置が備えられていてもよい。
【００２８】
プリンタユニット１０２、ＦＡＸユニット１０３及びスキャナユニット１０４は、入力されたデータや受信したデータを格納するためのメモリを備えていることとする。
操作パネル１０５は、図３に示すように、タッチパネル液晶ディスプレイ、テンキー、スタートキー、ストップキー等の各種キーを備える。液晶ディスプレイの替わりに、有機ＥＬディスプレイを用いてもよい。
【００２９】
操作パネル１０５は、ユーザがＭＦＰ１（１０）を操作するための専用のコントロールデバイスとしての役割を果たし、タッチパネル液晶ディスプレイには、制御ユニット１０６から出力される各種の画面が表示される。ユーザは、操作パネル１０５を操作することによって、ＭＦＰ１（１０）に対してプリントジョブ、ＦＡＸジョブ、Ｍｙパネルの新規作成等の指示を入力する。
【００３０】
図３は、操作パネル１０５の液晶ディスプレイに通常利用パネル１２０が表示されている状態を示している。通常利用パネル１２０は、既にユーザＡにより作成されており、Ｍｙパネルサーバ２０が、当該通常利用パネル１２０の設定情報を管理していることとする。
図３に示すように、通常利用パネル１２０は、コピー、ファックス／スキャン、ボックス、イメージパネル、Ｗｅｂブラウザ、仕上がり及び読み込み設定の７個のショートカットアイコンが配列されている。各ショートカットアイコンは、アイコン画像と当該アイコン画像に対応する機能を示す文字列とから構成される。また、通常利用パネル１２０は、遷移キー１２１を含む。こうしたパネル（画面）を構成するための情報は、上記設定情報としてまとめられている。
【００３１】
ユーザＡが、通常利用パネル１２０上の各アイコン及び遷移キー１２１を押圧すると、操作パネル１０５は、押圧された座標を判断して、その座標を制御ユニット１０６に通知する。後述する制御ユニット１０６では、操作パネル１０５から押圧された座標を受け取ると、その座標に応じた機能を実行するために、各ユニットを制御する。
なお、ユーザＡが遷移キー１２１を選択した場合、液晶ディスプレイの表示が外部利用パネル作成画面に遷移する。
【００３２】
また、外部利用パネルが作成された後に通常利用パネル１２０の遷移キー１２１が選択されると、液晶ディスプレイの表示が作成済みの外部利用パネルに遷移する。
なお、外部利用パネルが作成された後に遷移キー１２１が選択されると、新規の外部利用パネル作成画面に遷移するか、既存の外部利用パネルに遷移するか、ユーザに選択させる画面を表示するとしてもよい。  
【００３３】
また、作成された外部利用パネルが複数ある場合には、何れの外部利用パネルに遷移するのかユーザに選択させる画面を表示するとしてもよい。
制御ユニット１０６は、ＣＰＵ、ＲＯＭ、ＲＡＭ、ＨＤＤ等から構成される。ＨＤＤ又はＲＯＭには、全体制御プログラム、画像処理プログラム、ネットワーク制御プログラム、Ｍｙパネル作成プログラム等、ＭＦＰ１（１０）を機能させるための各種のコンピュータプログラムが記録されている。
【００３４】
制御ユニット１０６は、ＣＰＵが作業用のＲＡＭを用いて各種のコンピュータプログラムを実行することにより、他のユニットを制御し、ＭＦＰ１（１０）全体としての機能及び動作を制御する。
制御ユニット１０６は、Ｍｙパネル生成部１１１、Ｍｙパネル取得部１１２、表示制御部１１３及び言語制御部１１４を含む。
（通常利用パネル１２０の作成）
Ｍｙパネル生成部１１１は、ＭＦＰ１（１０）に実装されている機能のうち、ユーザＡから、ショートカットアイコンを作成する機能を受け付けることにより、通常利用パネル１２０を作成する。ユーザＡは、使用頻度の高い機能を選択することが考えられる。このとき、例えば、各機能と対応付けて表示するアイコン画像を、複数種類のアイコン画像の中から、ユーザの好みで選択できるようにしてもよい。
【００３５】
また、詳細は後述するが、ＭＦＰ１（１０）は、多言語表示機能を有している。多言語表示機能とは、操作パネル１０５に表示する各画面の表示言語を複数の言語の中からユーザが選択できる機能である。
ここでは、通常利用パネル１２０の表示言語の設定方法の一例として、Ｍｙパネル生成部１１１が、通常利用パネル１２０を作成するときに、通常利用パネル１２０の表示言語の設定をユーザから受け付けるものとする。
【００３６】
Ｍｙパネル生成部１１１は、ユーザにより選択された各機能のショートカットアイコンを配置し、登録の可否を確認する確認画面を操作パネル１０５に表示する。
ユーザが登録を選択すると、Ｍｙパネル生成部１１１は、ネットワーク接続ユニット１０１を介して、ユーザ名、選択された機能の識別情報、選択された機能の文字コード及びアイコン画像、ショートカットアイコンの座標位置並びに選択された表示言語を、Ｍｙパネルサーバ２０へ送信する。
（外部利用パネルの作成）
操作パネル１０５に通常利用パネル１２０が表示されているとき、ユーザＡが、遷移キー１２１を選択すると、外部利用パネル作成画面が表示される。
【００３７】
ユーザＡは、ＭＦＰ２（３０）で利用するための外部利用パネルを作成する場合、外部利用パネル作成画面上で、ＭＦＰ２（３０）の製品名を入力する。そうすると、Ｍｙパネル生成部１１１は、Ｍｙパネルサーバ２０から、入力された製品名に対応する機種の最大オプション構成（当該機種が実装する全てのオプション機能の構成）を取得する。本実施形態では、ユーザＡは、ＭＦＰ２（３０）の製品名を既知であるとする。
【００３８】
続いて、Ｍｙパネル生成部１１１は、各ＭＦＰに実装されている共通の標準機能と、Ｍｙパネルサーバ２０から取得したＭＦＰ２（３０）の最大オプション構成に含まれるオプション機能とを含む設定項目選択画面１３０を、操作パネル１０５に表示する。
図４は、設定項目選択画面１３０を示す図である。設定項目選択画面１３０は、「Ｍｙパネル（外部利用パネル）を作成します。設定項目を選択してください。」というメッセージ１３１と、複数の項目から成る項目群１３２と、ＯＫキー１３３とを含む。
【００３９】
項目群１３２のうち、コピー、ファックス／スキャン、ボックス、イメージパネル、Ｗｅｂブラウザ、仕上り、及び、読み込み設定は、各ＭＦＰに実装されている共通の標準機能である。
項目群１３２のうち、片面→両面、両面→両面、パンチ、ステーブル、済みスタンプ、及び、地紋は、ＭＦＰ２（３０）に実装が可能なオプション機能である。このうち、地紋は、ＭＦＰ１（１０）には実装することができない機能である。
【００４０】
Ｍｙパネル生成部１１１は、ユーザＡから、項目群１３２のうちから、ショートカットアイコンを作成する１以上の項目の選択を受け付けた後、ＯＫキー１３３の選択を受け付けることにより、外部利用パネルを作成する。ユーザＡは、使用頻度の高い機能や、出張先のＭＦＰ２（３０）で使用したい機能を選択することが考えられる。
また、Ｍｙパネル生成部１１１は、図５に示す表示言語選択画面１４０を操作パネル１０５に表示する。表示言語選択画面１４０は、「Ｍｙパネル（外部利用パネル）の表示言語を選択してください。」というメッセージ１４１と、日本語、英語及び中国語から成る言語群１４２と、ＯＫキー１４３とを含む。
【００４１】
Ｍｙパネル生成部１１１は、ユーザＡから、言語群１４２のうち何れか一つの言語の選択を受け付け、その後、ＯＫキー１４３の選択を受け付けることにより、外部利用パネルの表示言語を設定する。
Ｍｙパネル生成部１１１は、ユーザにより選択された各機能のショートカットアイコンを配置し、登録の可否を確認する確認画面を操作パネル１０５に表示する。
【００４２】
ユーザが登録を選択すると、Ｍｙパネル生成部１１１は、ネットワーク接続ユニット１０１を介して、ユーザ名、選択された機能の識別情報、選択された機能の文字コード及びアイコン画像、ショートカットアイコンの座標位置並びに選択された表示言語を、Ｍｙパネルサーバ２０へ送信する。
図６は、ＭＦＰ２（３０）で利用するための外部利用パネル１５０が、ＭＦＰ１（１０）の操作パネル１０５に表示されている図である。
【００４３】
外部利用パネル１５０は、通常利用パネル１２０（図３参照）と比較すると、ＭＦＰ１（１０）には実装されていない機能である「地紋」のショートカットアイコンを含む。また、外部利用パネル１５０は、遷移キー１５１を含む。ユーザＡが遷移キー１５１を選択した場合、液晶ディスプレイの表示が通常利用パネル１２０に遷移する。
（表示制御）
表示制御部１１３は、操作パネル１０５の液晶ディスプレイに表示される各種の画面を生成する。ここでは、各種の画面の具体例として、通常利用パネル１２０及び外部利用パネル１５０について説明する。
【００４４】
Ｍｙパネル取得部１１２は、操作パネル１０５を介して、ユーザＡから通常利用パネル１２０の表示要求を受け付けると、Ｍｙパネルサーバ２０から通常利用パネル１２０の設定情報と外部利用パネルの設定情報とを取得する。このとき、表示制御部１１３は、ユーザＡから、ユーザ名、ユーザＩＤ及びユーザパスワードの入力を受け付け、Ｍｙパネルサーバ２０へユーザ名を送信することによって、ユーザ名に対応する設定情報を取得する。
【００４５】
また、画像処理システム１では、管理者がユーザ毎に利用不可能な機能を設定することができる。そして、Ｍｙパネルサーバ２０がユーザ毎に利用不可能な機能を記憶している。
Ｍｙパネル取得部１１２は、Ｍｙパネルサーバ２０から通常利用パネル１２０の設定情報を取得する際に、ユーザＡの利用不可能な機能を示す利用制限項目を利用制限情報として取得する。
【００４６】
Ｍｙパネル取得部１１２は、Ｍｙパネルサーバ２０から取得した設定情報と利用制限項目とを、表示制御部１１３へ渡す。
表示制御部１１３は、通常利用パネルの設定情報を基に、ショートカットアイコンを配列して通常利用パネル１２０を生成する。そして、表示制御部１１３は、利用制限項目を基に、通常利用パネル１２０に配列されているショートカットアイコンのうち、ユーザＡの利用が制限されている機能があるか否かを判断する。利用が制限されている機能があれば、表示制御部１１３は、対応するショートカットアイコンをグレイアウト処理する。
【００４７】
表示制御部１１３は、グレイアウト処理が成された通常利用パネル１２０を、操作パネル１０５の液晶ディスプレイに出力する。操作パネル１０５では、グレイアウト処理がされているショートカットアイコンをユーザＡが押圧しても、その入力を破棄することで、ユーザＡの選択を禁止する。
図３に示した通常利用パネル１２０では、Ｗｅｂブラウザのショートカットアイコンがグレイアウト表示されている。したがって、Ｗｅｂブラウザ機能は、ユーザＡの利用が制限されている機能である。ユーザＡは、Ｗｅｂブラウザのショートカットアイコンを選択することができない。
【００４８】
操作パネル１０５に外部利用パネル１５０を表示する場合も、通常利用パネル１２０と同様であるが、外部利用パネル１５０の場合には、さらに、表示制御部１１３は、外部利用パネル１５０に配列されているショートカットアイコンのうち、ＭＦＰ１（１０）に実装されていない機能に対応するショートカットアイコンを、グレイアウト処理する。
図６に示した外部利用パネル１５０では、Ｗｅｂブラウザのショートカットアイコン、及び、地紋のショートカットアイコンがグレイアウト表示されている。Ｗｅｂブラウザ機能は、ユーザＡの利用が制限されている機能である。また、地紋機能は、ＭＦＰ２（３０）に実装可能な機能であるが、ＭＦＰ１（１０）には、実装されていない機能である。
【００４９】
なお、ＭＦＰ１（１０）の操作パネル１０５に、ＭＦＰ２（３０）で利用するための外部利用パネル１５０が表示されるのは、ユーザＡが、外部利用パネル１５０を用いてＭＦＰ１（１０）を操作するためではなく、ユーザＡが、作成した外部利用パネルを確認したり、変更したりするためである。
（外部利用パネルの転送）
ネットワーク接続ユニット１０１は、ＭＦＰ２（３０）から、外部利用パネル転送要求を受信する。外部利用パネル転送要求は、ユーザＡのユーザ名、ユーザＩＤ及びユーザパスワードを含む。
【００５０】
制御ユニット１０６のログイン機能部（図示していない）は、ＭＦＰ２（３０）から受信したユーザＩＤ及びユーザパスワードを検証する。検証がＯＫの場合、ＭＦＰ１（１０）の使用が許可される。検証がＮＧの場合、ＭＦＰ１（１０）の使用は禁止される。検証がＮＧの場合、ＭＦＰ１（１０）からＭＦＰ２（３０）へ、エラーメッセージが返送されてもよい。
【００５１】
即ち、ユーザＡは、ＭＦＰ２（３０）から、リモート操作によって、ＭＦＰ１（１０）にログインする。
Ｍｙパネル取得部１１２は、ユーザ名（ユーザＡ）と自機（ＭＦＰ１）の識別情報とをＭｙパネルサーバ２０へ送信し、ユーザＡの外部利用パネルの設定情報及び利用制限項目を取得する。
【００５２】
Ｍｙパネル取得部１１２は、Ｍｙパネルサーバ２０から取得した外部利用パネルの表示言語が日本語、英語、中国語の何れに設定されているか判断する。
表示言語が日本語に設定されている場合、Ｍｙパネル取得部１１２は、Ｍｙパネルサーバ２０から取得した設定情報と利用制限項目とを、ネットワーク接続ユニット１０１を介して、ＭＦＰ２（３０）へ送信する。
【００５３】
表示言語が英語又は中国語に設定されている場合、Ｍｙパネル取得部１１２は、取得した設定情報と利用制限項目とを表示制御部１１３へ渡す。
表示制御部１１３は、通常利用パネル１２０の生成と同様にして、設定情報に含まれるショートカットアイコンを配列する。そして、言語制御部１１４の多言語表示機能により、外部利用パネルに含まれるメッセージ（ショートカットアイコンに含まれる文字列を含む）を、英語又は中国語に変換する。その後、表示制御部１１３は、外部利用パネルに含まれるショートカットアイコンのうち、利用制限項目をグレイアウト処理して、画面情報を生成する。そして、表示制御部１１３は、生成した画面情報を、ネットワーク接続ユニット１０１を介して、ＭＦＰ２（３０）へ送信する。
（多言語表示機能）
先に説明したように。ＭＦＰ１（１０）は、多言語表示機能を有する。多言語表示機能とは、操作パネル１０５に表示する各種の画面を、複数の言語のうちからユーザの好みの言語で表示することができる機能である。具体的には、ＭＦＰ１（１０）は、英語及び中国語の言語データを保持しており、日本語の他に、各種の画面を英語及び中国語で表示することができる。
【００５４】
ＭＦＰ１（１０）が起動すると、その後、言語制御部１１４では、日本語から英語への変換プログラム、及び、日本語から中国語への変換プログラムが起動し、ＦｌａｓｈＲＯＭに格納されている英語の言語データ及び中国語の言語データが、それぞれＲＡＭに展開される。
ＭＦＰ１（１０）は、初期状態では、操作パネル１０５に表示される画面は、すべて日本語である。例えば、操作パネル１０５上に表示される「英語」、「中国語」の選択キーをユーザが押下すると、言語制御部１１４は、押下されたキーに応じて、画面上のメッセージを英語又は中国語に変換する。
【００５５】
また、ユーザＡの外部利用パネルは、表示言語が「中国語」に設定されている。このとき、言語制御部１１４は、表示制御部１１３から、ショートカットアイコンが配列された外部利用パネルを取得すると、外部利用パネルに含まれるメッセージを全て中国語に変換し、変換後の外部利用パネルを表示制御部１１３に返す。
２．Ｍｙパネルサーバ２０の構成
Ｍｙパネルサーバ２０は、ＭＦＰ１（１０）で作成されたＭｙパネルを管理するサーバ装置である。Ｍｙパネルサーバ２０は、大阪オフィスの機器からのアクセスのみを許可し、他のオフィスの機器からのアクセスを遮断する。したがって、大阪オフィスのＭＦＰ１（１０）は、Ｍｙパネルサーバ２０から各種の情報を取得することが可能であるが、名古屋オフィスのＭＦＰ２（３０）及び東京オフィスのＭＦＰ３（４０）は、Ｍｙパネルサーバ２０から直接情報を取得することができない。これは大阪オフィスにおけるセキュリティ確保のための仕組みであるが、Ｍｙパネルサーバ２０が、実際にＭＦＰ１（１０）のみとネットワーク接続しており、ＭＦＰ２（３０）及びＭＦＰ３（４０）と接続していない場合も想定される。
【００５６】
図７は、Ｍｙパネルサーバ２０の構成を機能的に示す機能ブロック図である。
同図に示すように、Ｍｙパネルサーバ２０は、送受信部２０１、オプション構成記憶部２０２、Ｍｙパネル記憶部２０３、利用制限記憶部２０４及び制御部２０５から構成される。
送受信部２０１は、ネットワーク接続ユニットである。Ｍｙパネルサーバ２０は、ネットワークを介して、ＭＦＰ１（１０）と情報の送受信を行う。
【００５７】
オプション構成記憶部２０２は、フラッシュメモリ等から構成され、図８に示すオプション構成テーブル２１０を記憶している。オプション構成テーブル２１０は、ＭＦＰの製品名と、当該製品の最大オプション構成とを対応付けたテーブルである。本実施形態において、「最大オプション構成」とは、ＭＦＰに実装可能な全てのオプション機能を意味する。
【００５８】
例えば、製品名が「Ｃ５５０」であるＭＦＰは、両面、パンチ及びステーブルの各オプション機能を実装することが可能である。製品名が「Ｃ６５０」であるＭＦＰは、「Ｃ５５０」の上位機種であり、両面、パンチ、ステーブルに加え、済みスタンプ及び地紋の各オプション機能を実装することが可能である。
ＭＦＰの最大オプション構成は、ＭＦＰ１（１０）に送信され、ＭＦＰ１（１０）が、ＭＦＰ２（３０）やＭＦＰ３（４０）等、他のＭＦＰで利用するＭｙパネルを作成するときに用いられる。
【００５９】
Ｍｙパネル記憶部２０３は、フラッシュメモリ等から構成され、ＭＦＰ１（１０）で作成されたユーザ毎のＭｙパネルの情報を記憶している。具体的には、Ｍｙパネル記憶部２０３は、図９に示すＭｙパネルテーブル２２０及び項目テーブル２２５を記憶している。
Ｍｙパネルテーブル２２０は、複数のＭｙパネル情報を含む。各Ｍｙパネル情報は、ユーザ名、Ｍｙパネル種別、表示項目及び表示言語を含む。
【００６０】
例えば、ユーザＡの通常利用パネルは、表示項目として（１）コピー、（２）ファックス／スキャン、（３）ボックス、（４）イメージパネル、（５）Ｗｅｂブラウザ、（６）仕上り、及び（７）読み込み設定、を含む。そして、表示言語は「日本語」である。
ユーザＡの通常利用パネル１は、表示項目として、（１）コピー、（２）ファックス／スキャン、（３）ボックス、（４）イメージパネル、（５）Ｗｅｂブラウザ、（６）仕上り、（７）読み込み設定、及び（８）地紋、を含む。そして、表示言語は「中国語」である。
【００６１】
ユーザＡの通常利用パネル２は、表示項目として、（１）コピー、（２）Ｗｅｂブラウザ、（３）仕上り、（４）両面、及び（５）携帯連携、を含む。そして、表示言語は「英語」である。
図９（ａ）に示すように、外部利用パネルは、ＭＦＰ毎に一つ作成することができるので、システムに複数のＭＦＰが存在する場合、ユーザは複数の外部利用パネルを作成しておくことができる。そのため、図９（ａ）では、ユーザＡがＭＦＰ２（３０）で利用するために作成した外部利用パネルとＭＦＰ３（４０）で利用するために作成した外部利用パネルとを区別するために、前者を「外部利用パネル１」と記載し、後者を「外部利用パネル２」と記載している。
【００６２】
図９（ａ）のＭｙパネル情報に含まれる各表示項目の詳細は、図９（ｂ）の項目テーブル２２５により示される。
例えば、各Ｍｙパネル情報に含まれる表示項目「コピー」は、具体的には、識別情報「００１」と、「コピー」を示す文字コードと、図９（ｂ）に示すアイコン画像のデータと、ショートカットアイコンをＭｙパネルに表示するときの座標位置（ｘ１，ｙ１）を示している。
【００６３】
なお、アイコン画像をユーザが自由に選択可能とする場合には、ユーザ毎に項目情報が異なるので、ユーザ毎のＭｙパネル情報と項目情報とが１対１に対応する必要がある。
Ｍｙパネル情報及び項目情報は、ＭＦＰ１（１０）に送信され、ＭＦＰ１（１０）及びその他のＭＦＰでＭｙパネルの表示に用いられる。なお、Ｍｙパネル情報と項目情報とを「設定情報」と呼称することがある。
【００６４】
利用制限記憶部２０４は、フラッシュメモリ等から構成され、図１０に示す利用制限テーブル２３０を記憶している。
先に説明したように、画像処理システム１では、システムの管理者がユーザ毎に利用不可能な機能を設定することができる。そして、Ｍｙパネルサーバ２０の利用制限テーブル２３０で、その情報を管理している。
【００６５】
図１０に示すように、利用制限テーブル２３０は、複数の利用制限情報を含み、各利用制限情報は、ユーザ名と、当該ユーザが利用不可能な機能を示す利用制限項目とを含む。例えば、ユーザＡは、「Ｗｅｂブラウザ」の機能を利用することができない。
利用制限テーブル２３０の書き込みにはアクセス制限があり、管理者のみが、利用制限テーブル２３０への書き込み（更新）をすることができる。
【００６６】
利用制限項目は、Ｍｙパネルの設定情報がＭＦＰ１（１０）に送信されるときに、同時にＭＦＰ１（１０）に送信され、Ｍｙパネルの表示制御に用いられる。
制御部２０５は、ＣＰＵ，ＲＯＭ、ＲＡＭ、ＨＤＤ等から構成される。ＨＤＤ又はＲＯＭには、Ｍｙパネルサーバ２０を機能させるための各種のコンピュータプログラムが記録されている。
【００６７】
制御部２０５は、ＣＰＵが作業用のＲＡＭを用いて各種のコンピュータプログラムを実行することにより、Ｍｙパネルサーバ２０全体としての機能及び動作を制御する。
具体的には、制御部２０５は、各記憶部へ情報の書き込み制御、各記憶部からの情報の読み出し制御等を行う。
より具体的には、制御部２０５は、ＭＦＰ１（１０）から、製品名を指定して、最大オプション構成の送信要求を受けると、オプション構成記憶部２０２から、製品名に対応する最大オプション構成を読み出して、ＭＦＰ１（１０）へ送信する。
【００６８】
また、制御部２０５は、ＭＦＰからＭｙパネルの送信要求を受けると、要求元のＭＦＰを認証する。本実施形態では、Ｍｙパネルサーバ２０に格納されているＭｙパネルを取得できるのは、同じ大阪オフィスに設置されている機器に限定される。したがって、この認証では、要求元がＭＦＰ１（１０）であることが確認できればよい。認証に成功した場合、制御部２０５は、Ｍｙパネル記憶部２０３から通常利用パネル及び／又は外部利用パネルを示す設定情報を読み出して、ＭＦＰ１（１０）へ送信する。
【００６９】
また、制御部２０５は、ＭＦＰ１（１０）から、作成された通常利用パネルを示す設定情報を取得すると、ユーザ名と、Ｍｙパネル種別と、表示項目と、表示言語とを対応つけて、Ｍｙパネル記憶部２０３のＭｙパネルテーブル２２０に登録する。また、取得した設定情報に含まれる表示項目のうち、項目テーブル２２５に未登録の表示項目が存在する場合、当該表示項目に対応する項目情報を作成して、項目テーブル２２５に登録する。
【００７０】
また、制御部２０５は、ＭＦＰ１（１０）から、外部利用パネルを示す設定情報を取得すると、同一のユーザ名を有する通常利用パネルと対応付けて、Ｍｙパネル種別と、表示項目と、表示言語とをＭｙパネルテーブル２２０に登録する。また、取得した設定情報に含まれる表示項目のうち、項目テーブル２２５に未登録の表示項目が存在する場合、当該表示項目に対応する項目情報を作成して、項目テーブル２２５に登録する。
【００７１】
また、制御部２０５は、利用制限テーブル２３０への書き込み要求を受け付けると、要求元が管理者であるか否かを認証する。具体的には管理者ＩＤ、管理者パスワード等により認証する。制御部２０５は、管理者である場合のみ、利用制限テーブル２３０への書き込みを許可する。
また、画像処理システム１に新しい製品が追加された場合、制御部２０５は,
当該製品の最大オプション構成を取得して、オプション構成テーブル２１０に追加する。
【００７２】
３．ＭＦＰ２（３０）の構成
ＭＦＰ２（３０）は、名古屋オフィスに設置されている機器である。ユーザＡは、名古屋オフィスへ出張した際には、ＭＦＰ２（３０）を利用する。
図１１は、ＭＦＰ２（３０）の構成を示すブロック図である。
同図に示すように、ＭＦＰ２（３０）は、ネットワーク接続ユニット３０１、プリンタユニット３０２、ＦＡＸユニット３０３、スキャナユニット３０４、操作パネル３０５及び制御ユニット３０６から構成される。
【００７３】
ネットワーク接続ユニット３０１、プリンタユニット３０２、ＦＡＸユニット３０３、スキャナユニット３０４及び操作パネル３０５は、先に説明したＭＦＰ１（１０）の対応する構成要素と同一の構成及び機能を有するため、ここでは説明を省略する。
制御ユニット３０６は、Ｍｙパネル取得部３１１及び表示制御部３１２を含む。
（外部利用パネルの取得）
Ｍｙパネル取得部３１１は、操作パネル３０５を介して、ユーザＡから外部利用パネルの取得要求を受け付けると、ユーザ名、ユーザＩＤ及びユーザパスワードを入力するための画面を、操作パネル３０５の液晶ディスプレイに出力する。そして、Ｍｙパネル取得部３１１は、ユーザ名、ユーザＩＤ及びユーザパスワードの入力を受け付ける。
【００７４】
また、Ｍｙパネル取得部３１１は、図１２に示す外部利用パネル取得画面３２０を、操作パネル３０５の液晶ディスプレイに出力する。
ユーザＡは、外部利用パネル取得画面３２０にＭＦＰ１（１０）のＩＰアドレスを入力することにより、ＭＦＰ１（１０）に対して、外部利用パネルの転送を要求することができる。
【００７５】
Ｍｙパネル取得部３１１は、操作パネル３０５から、ユーザＡにより入力されたＩＰアドレスを取得すると、ネットワーク接続ユニット３０１を介して、当該ＩＰアドレス宛に、ユーザ名、ユーザＩＤ及びユーザパスワードを含む外部利用パネル転送要求を送信する。
ユーザＡがリモート操作により、ＭＦＰ１（１０）にログイン出来た場合、Ｍｙパネル取得部３１１は、ネットワーク接続ユニット３０１を介して、ＭＦＰ１（１０）から、外部利用パネルの画面情報を受信する。Ｍｙパネル取得部３１１は、取得した画面情報を、表示制御部３１２へ渡す。
【００７６】
なお、ユーザＡは、ＭＦＰ２（３０）で利用するための外部利用パネルの表示言語を、予め中国語に設定した。そのため、ＭＦＰ１（１０）は、Ｍｙパネルサーバ２０から取得した外部利用パネルの設定情報を基に、自機にインストールされている中国語変換機能を用いて、外部利用パネルを中国語表示にした画面情報を生成し、生成した画面情報を、ＭＦＰ２（３０）へ送信する。
【００７７】
もし、外部利用パネルの表示言語が日本語に設定されている場合には、Ｍｙパネル取得部３１１は、ＭＦＰ１（１０）からユーザＡの外部利用パネルを示す設定情報と、ユーザＡの利用制限項目とを受信し、受信した設定情報及び利用制限項目を表示制御部３１２へ渡す。
このように、ＭＦＰ２（３０）は、ＭＦＰ１（１０）から外部利用パネルに対応する設定情報を取得するリモートアクセスの機能を有する。
（外部利用パネルの表示）
表示制御部３１２は、Ｍｙパネル取得部３１１から画面情報を受け取ると、受け取った画面情報に含まれるショートカットアイコンの座標位置から、自機に実装されていない機能があるか否か判断する。
【００７８】
表示制御部３１２は、画面情報に自機に実装されていない機能が含まれている場合、その機能を示すショートカットアイコンを、グレイアウト処理した後、操作パネル３０５の液晶ディスプレイに出力する。
表示制御部３１２は、Ｍｙパネル取得部３１１から設定情報と利用制限項目とを受け取ると、設定情報を用いて、ショートカットアイコンを配列する。そして、利用制限項目が示す機能のショートカットアイコンをグレイアウト処理する。
【００７９】
更に、表示制御部３１２は、配列したショートカットアイコンのうち、自機に実装されていない機能を示すショートカットアイコンがあれば、それをグレイアウト処理し、外部利用パネルを生成する。
表示制御部３１２は、生成した外部利用パネルを、操作パネル３０５の液晶ディスプレイに出力する。
【００８０】
図１３は、操作パネル３０５に表示される外部利用パネル３３０を示す図である。同図に示すように、外部利用パネル３３０では、Ｗｅｂブラウザのショートカットアイコンがグレイアウト表示されているため、ユーザＡは、ＭＦＰ２（３０）のＷｅｂブラウザ機能を利用することができない。
＜動作＞
ここでは、画像処理システム１の動作について説明する。
（外部利用パネルの生成）
先ず、図１４のフローチャートを用いて、ＭＦＰ１（１０）が、ＭＦＰ２（３０）で利用するための外部利用パネルを生成する処理について説明する。
【００８１】
ＭＦＰ１（１０）の操作パネル１０５は、ユーザＡから、ＭＦＰ２（３０）の製品名の入力を受け付ける（ステップＳ１）。ＭＦＰ１（１０）のＭｙパネル生成部１１１は、ネットワーク接続ユニット１０１を介して、ＭＦＰ２（３０）の製品名をＭｙパネルサーバ２０へ送信し、Ｍｙパネルサーバ２０の送受信部２０１は、製品名を受信する（ステップＳ２）。
【００８２】
続いて、Ｍｙパネルサーバ２０の制御部２０５は、オプション構成記憶部２０２から、ステップＳ２で受信した製品名に対応する最大オプション構成を読み出す（ステップＳ３）。制御部２０５は、送受信部２０１を介して、読み出した最大オプション構成をＭＦＰ１（１０）へ送信し、ＭＦＰ１（１０）のネットワーク接続ユニット１０１は、ＭＦＰ２（３０）の最大オプション構成を受信する（ステップＳ４）。
【００８３】
Ｍｙパネル生成部１１１は、受信したＭＦＰ２（３０）の最大オプション構成と、各ＭＦＰに共通の標準機能とから、設定項目選択画面（図４参照）を生成し、生成した設定項目選択画面を操作パネル１０５に表示する（ステップＳ５）。そして、Ｍｙパネル生成部１１１は、操作パネル１０５を介して、ユーザから、外部利用パネルにショートカットアイコンを作成したい項目の入力を受け付ける（ステップＳ６）。
【００８４】
続いて、Ｍｙパネル生成部１１１は、表示言語選択画面（図５参照）を、操作パネル１０５に表示する（ステップＳ７）。そして、Ｍｙパネル生成部１１１は、操作パネル１０５を介して、ユーザＡから表示言語の選択を受け付ける（ステップＳ８）。
そして、Ｍｙパネル生成部１１１は、ユーザＡにより選択されたショートカットアイコンを配列した外部利用パネルを生成する（ステップＳ９）。
【００８５】
Ｍｙパネル生成部１１１は、ユーザＡから、生成した外部利用パネルの登録確定の入力を受け付けたら、外部利用パネルを示す設定情報（ユーザ名、選択された機能の識別情報、選択された機能の文字コード及びアイコン画像、ショートカットアイコンの座標位置並びに選択された表示言語）をＭｙパネルサーバ２０へ送信し、Ｍｙパネルサーバ２０の送受信部２０１は設定情報を受信する（ステップＳ１０）。
【００８６】
Ｍｙパネルサーバ２０の制御部２０５は、受信した設定情報を基に、ユーザＡの通常利用パネルと対応付けて、Ｍｙパネル記憶部２０３のＭｙパネルテーブル２２０に格納し、必要な項目情報を項目テーブル２２５に追加する（ステップＳ１１）。
（外部利用パネルの表示）
次に、図１５及び図１６のフローチャートを用いて、ＭＦＰ２（３０）で外部利用パネルを表示する処理について説明する。  
【００８７】
ＭＦＰ２（３０）のＭｙパネル取得部３１１は、操作パネル３０５を介して、ユーザＡから外部利用パネルの取得要求を受け付けると、ユーザ名、ユーザＩＤ及びユーザパスワードを入力するための画面を、操作パネル３０５の液晶ディスプレイに出力する。そして、Ｍｙパネル取得部３１１は、ユーザ名、ユーザＩＤ及びユーザパスワードの入力を受け付ける。
【００８８】
また、Ｍｙパネル取得部３１１は、操作パネル３０５の液晶ディスプレイに外部利用パネル取得画面２３２０（図１１参照）を表示し（ステップＳ２１）、ＭＦＰ１（１０）のＩＰアドレスの入力を受け付ける（ステップＳ２２）。
Ｍｙパネル取得部３１１は、受け付けたＩＰアドレス宛に、ユーザ名、ユーザＩＤ及びユーザパスワードを含む外部利用パネル転送要求を送信し、ＭＦＰ１（１０）のネットワーク接続ユニット１０１は、外部利用パネル転送要求を受信する（ステップＳ２３）。
【００８９】
制御ユニット１０６は、ネットワーク接続ユニット１０１から外部利用パネル転送要求を受け取り、ユーザＩＤ及びユーザパスワードの検証を行う。ここで、ユーザＩＤ及びユーザパスワードの検証に失敗した場合には、制御ユニット１０６は、その旨をＭＦＰ２（３０）へ返送してもよい。
制御ユニット１０６は、ユーザＩＤ及びユーザパスワードの検証が正しく終了した場合にのみ、ユーザＡのログインを許可する（ステップＳ２４）。ログインが許可されると、Ｍｙパネル取得部１１２は、Ｍｙパネルサーバ２０へユーザＡの外部利用パネルを要求する（ステップＳ２５）。
【００９０】
ここで、Ｍｙパネルサーバ２０にユーザＡの外部利用パネルが複数登録されている場合には、Ｍｙパネル取得部１１２は、Ｍｙパネルサーバ２０に対して、ＭＦＰ２（３０）で利用する外部利用パネル１を要求する。
また、ＭＦＰ１（１０）では、ステップＳ２４のログインの後、言語制御部１１４において、フラッシュＲＯＭに格納されている英語及び中国語の言語データをＲＡＭに展開する処理を行う（ステップＳ２６）。
【００９１】
Ｍｙパネルサーバ２０の制御部２０５は、Ｍｙパネルの送信要求を受けると、要求元のＭＦＰを認証する（ステップＳ２７）。ここでは、要求元のＭＦＰが同じ大阪オフィスの機器であるか否かを、ＩＰアドレス、ＭＡＣアドレス、その他の識別情報等を用いて認証する。
認証に失敗した場合（ステップＳ２８でＮＧ）、制御部２０５は、要求元のＭＦＰに対して、エラーを通知する（ステップＳ２９）。認証に成功した場合（ステップＳ２８でＯＫ）、制御部２０５は、Ｍｙパネル記憶部２０３から、ユーザＡの外部利用パネル１の設定情報を読み出す（ステップＳ３０）。続いて、制御部２０５は、利用制限記憶部２０４から、ユーザＡの利用制限項目を読み出す（ステップＳ３１）。
【００９２】
制御部２０５は、送受信部２０１を介して、読み出した設定情報と利用制限項目とをＭＦＰ１（１０）へ送信し、ＭＦＰ１（１０）のネットワーク接続ユニット１０１は、設定情報と利用制限項目とを受信する（ステップＳ３２）。
Ｍｙパネル取得部１１２は、設定情報と利用制限項目とを受け取ると、外部利用パネルの表示言語を判断する。表示言語が日本語に設定されている場合（ステップＳ３３でＹＥＳ）、Ｍｙパネル取得部１１２は、ネットワーク接続ユニット１０１を介して、Ｍｙパネルサーバ２０から取得した設定情報と利用制限項目とを、ＭＦＰ２（３０）へ送信する（ステップＳ３６）。
【００９３】
表示言語が英語又は中国語に設定されている場合（ステップＳ３３でＮＯ）、言語制御部１１４にて、中国語の外部利用パネルを生成する（ステップＳ３４）。その後、表示制御部１１３にて、利用制限項目のショートカットアイコンをグレイアウト処理し（ステップＳ３５）、画面情報を生成する。
Ｍｙパネル取得部１１２は、ネットワーク接続ユニット１０１を介して、生成した画面情報を、ＭＦＰ２（３０）へ送信する（ステップＳ３６）。
【００９４】
ＭＦＰ２（３０）の表示制御部３１２は、画面情報を受信した場合には、ＭＦＰ２（３０）に実装されていない機能に対応するショートカットアイコンのグレイアウト処理を行い、外部利用パネルを生成する。表示制御部３１２は、生成した外部利用パネルを、操作パネル３０５の液晶ディスプレイに表示する（ステップＳ３７）。
もし、ＭＦＰ２（３０）の表示制御部３１２が設定情報と利用制限項目とを受信した場合には、表示制御部３１２は、設定情報を基に、ショートカットアイコンを配列する。そして、表示制御部３１２は、必要なグレイアウト処理を施し、外部利用パネルを生成する。表示制御部３１２は、生成した外部利用パネルを操作パネル３０５の液晶ディスプレイに表示する。
≪第２の実施形態≫
次に、本発明の第２の実施形態について説明する。
【００９５】
第１の実施形態では、Ｍｙパネルサーバ２０にアクセスできるのは、同じ大阪オフィスに設置されているＭＦＰ１（１０）に限られていた。そのため、名古屋オフィスのＭＦＰ２（３０）は、外部利用パネルを取得する際には、ＭＦＰ１（１０）にリモートアクセスすることにより、ＭＦＰ１（１０）を介して、Ｍｙパネルサーバ２０から、外部利用パネルを取得した。
【００９６】
これに対し、第２の実施形態では、ＭＦＰ２（３０）がＭｙパネルサーバ２０に直接アクセス可能な場合について説明する。そのため、第２の実施形態に係るＭＦＰ１（１０）は、外部利用パネル転送処理を行わない。その代わりに、ＭＦＰ２（３０）が、直接Ｍｙパネルサーバにアクセスし、外部利用パネルを取得する。
ここでは、図１７のフローチャートを用いて、ＭＦＰ２（３０）で外部利用パネル表示する処理について説明する。その他の処理は、第１の実施形態と同様である。
【００９７】
ＭＦＰ２（３０）のＭｙパネル取得部３１１は、操作パネル３０５を介して、ユーザＡから外部利用パネルの取得要求を受け付けると、ユーザ名を入力するための画面を、操作パネル３０５の液晶ディスプレイに出力する。そして、Ｍｙパネル取得部３１１は、ユーザＡからユーザ名の入力を受け付ける。
また、Ｍｙパネル取得部３１１は、操作パネル３０５の液晶ディスプレイに外部利用パネル取得画面３２０（図１２参照）を表示し（ステップＳ４１）、Ｍｙパネルサーバ２０のＩＰアドレスの入力を受け付ける（ステップＳ４２）。
【００９８】
Ｍｙパネル取得部３１１は、受け付けたＩＰアドレス宛に、ユーザ名を含む外部利用パネル送信要求を送信し、Ｍｙパネルサーバ２０の送受信部２０１は、外部利用パネル送信要求を受信する（ステップＳ４３）。
Ｍｙパネルサーバ２０の制御部２０５は、Ｍｙパネル記憶部２０３から、ユーザＡの外部利用パネル１の設定情報を読み出す（ステップＳ４４）。続いて、制御部２０５は、利用制限記憶部２０４から、ユーザＡの利用制限項目を読み出す（ステップＳ４５）。
【００９９】
制御部２０５は、送受信部２０１を介して、読み出した設定情報と利用制限項目とをＭＦＰ２（３０）へ送信し、ＭＦＰ２（３０）のネットワーク接続ユニット３０１は、設定情報と利用制限項目とを受信する（ステップＳ４６）。
ＭＦＰ２（３０）の表示制御部３１２は、受信した設定情報に含まれる座標位置に基づき、ショートカットアイコンを配列する（ステップＳ４７）。また、表示制御部３１２は、利用制限項目に対応するショートカットアイコンのグレイアウト処理をする（ステップＳ４８）。このとき、表示制御部３１２は、ＭＦＰ２（３０）に実装されていない機能を示すショートカットアイコンのグレイアウト処理も同時に行う。
【０１００】
そして、表示制御部３１２は、生成された外部利用パネルを、操作パネル３０５の液晶ディスプレイに表示する（ステップＳ４８）。
なお、第２の実施形態では、多言語表示機能を備えるＭＦＰ１（１０）を経由しないので、ＭＦＰ２（３０）は、中国語に変換された画面情報を取得することができない。そこで、ＭＦＰ２（３０）の操作パネル３０５には、日本語の外部利用パネルが表示される。
≪その他の変形例≫
（１）上記第１及び第２の実施形態では、ユーザ毎にＭｙパネルを設定することが可能であった。しかし、本発明はこれに限定されない。ユーザ毎にＭｙパネルを設定するのではなく、例えば社内の部門毎にＭｙパネルを設定してもよいし、その他のグループ単位でＭｙパネルを設定してもよい。
（２）上記第１及び第２の実施形態では、ユーザＡがＭＦＰ２の製品名を既知であることが前提だった。
【０１０１】
しかし、本発明は、ユーザが出張先のＭＦＰの製品名を知らない場合であっても、Ｍｙパネルサーバ２０から最大オプション構成が取得できる仕組みを備えていてもよい。
例えば、Ｍｙパネルサーバ２０が、ＩＰアドレスと製品名とを対応付けたテーブルを保持しており、ユーザは出張先のＭＦＰの製品名を知らない場合であっても、当該ＭＦＰのＩＰアドレスを入力することにより、製品名を特定できる構成としてもよい。またＩＰアドレスに限らず、出張先のＭＦＰを特定できる情報であればよい。
（３）上記第１及び第２の実施形態では、外部利用パネルの表示言語の設定方法として、図５に示す表示言語選択画面１４０を表示した。しかし、表示言語の設定方法はこれに限定されない。
【０１０２】
例えば、ＭＦＰ１（１０）で外部利用パネルを作成しているときの操作パネル１０５上の表示言語が日本語であれば、外部利用パネルの表示言語を日本語に設定し、外部利用パネルを作成しているときの操作パネル１０５上の表示言語が中国語であれば、外部利用パネルの表示言語を中国語に設定してもよい。
（４）上記第１及び第２の実施形態では、外部利用パネルを作成するとき、ユーザに、標準機能及びＭＦＰ２の最大オプション機能を提示して、その中から設定項目の選択を受け付けた（図４参照）。しかし、本発明はこれに限定されない。
【０１０３】
例えば、ユーザが通常利用パネルで設定している機能は全て外部利用パネルの設定項目に含め、その他の最大オプション構成のみからユーザが必要な項目を選択するように構成してもよい。
（５）上記第１及び第２の実施形態では、Ｍｙパネルに含まれるアイコン画像もＭｙパネルサーバ２０に登録した。しかし、本発明はこれに限定されず、各ＭＦＰには予め共通のアイコン画像が記憶されており、ＭＦＰに記憶されている共通のアイコン画像を用いて、通常利用パネルのアイコン画像を表示したり、外部利用パネルのアイコン画像を表示してもよい。
（６）上記第１及び第２の実施形態では、ＭＦＰ１（１０）は、Ｍｙパネルサーバ２０から、ＭＦＰ２（３０）の最大オプション構成を取得した。しかし、本発明はこれに限定されず、ＭＦＰ１（１０）は、ＭＦＰ２（３０）から、最大オプション構成を取得してもよい。
（７）上記第２の実施形態では、ＭＦＰ２（３０）は、外部利用パネルの設定情報をＭｙパネルサーバ２０から直接取得した。そのため、中国語への変換機能を備えていないＭＦＰ２（３０）は、外部利用パネルを中国語で表示できなかった。しかし、本発明は、外部利用パネルを中国語に変換した画面情報をＭｙパネルサーバ２０に予め格納しておき、ＭＦＰ２（３０）は、Ｍｙパネルサーバ２０から前記画面情報を取得して、中国語の外部利用パネルを表示するとしてもよい。
（８）上記第１及び第２の実施形態において、ショートカットアイコンのグレイアウト処理は、ＭＦＰ１（１０）の表示制御部１１３が行ってもよいし、ＭＦＰ２（３０）の表示制御部３１２が行ってもよい。
（９）上記第１及び第２の実施形態では、ＭＦＰ１（１０）は、通常利用パネルと外部利用パネルとの間で表示の遷移が可能であった。これは、ＭＦＰ１（１０）が、Ｍｙパネルサーバから通常利用パネルの設定情報と、外部利用パネルの設定情報との両方を取得しているからである。
【０１０４】
一方、ＭＦＰ２（３０）は、ＭＦＰ１（１０）にデータ転送を依頼するので、送受信するデータ量は少ないほうがよい。したがって、上記の実施形態では、ＭＦＰ２（３０）は、外部利用パネルの設定情報のみを取得していたため、外部利用パネルから通常利用パネルへ、操作パネルの表示を遷移することは出来なかった。
しかし、本発明はこれには限定されず、ＭＦＰ２（３０）は、外部利用パネルの設定情報だけでなく、通常利用パネルの設定情報も取得し、外部利用パネルから通常利用パネルへ、操作パネルの表示を遷移出来るように構成してもよい。
（１０）上記第１及び第２の実施形態では、ＭＦＰ２（３０）は多言語表示機能を備えていなかったが、ＭＦＰ２（３０）は、多言語表示機能を備えていてもよい。例えば、ＭＦＰ２（３０）が、中国語の画面を表示できるときは、ＭＦＰ１（１０）は、外部利用パネルの設定情報から中国語の画面情報を生成する必要はない。この場合は、ＭＦＰ２（３０）は、ＭＦＰ１（１０）から外部利用パネルの設定情報を受信して、自装置で中国語に変換してもよい。
（１１）本発明は、ＭＦＰ１（１０）が外部利用パネルを作成する方法であるとしてもよい。また、Ｍｙパネルサーバ２０がＭｙパネル（通常利用パネル及び外部利用パネル）を管理する方法であるとしてもよい。また、ＭＦＰ２（３０）が外部利用パネルを取得して利用する方法であるとしてもよい。
【０１０５】
また、これらの方法をコンピュータにより実現するプリンタドライバであるとしてもよいし、プリンタドライバのデジタル信号であるとしてもよい。
また、本発明は、前記プリンタドライバ又は前記デジタル信号をコンピュータ読み取り可能な記録媒体（例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど）に記録したものとしてもよい。
（１２）上記第１及び第２の実施形態及び上記の変形例をそれぞれ組み合わせるとしてもよい。
【産業上の利用可能性】
【０１０６】
本発明は、画像形成装置の製造及び販売等する産業において、ユーザが普段利用している画像形成装置を用いて、出張先等、ユーザが普段利用していない画像形成装置で利用するためのＭｙパネルを作成する技術、及び、利用する技術として用いることができる。
【符号の説明】
【０１０７】
１      画像処理システム
１０    ＭＦＰ１
２０    Ｍｙパネルサーバ
３０    ＭＦＰ２
４０    ＭＦＰ３
１０１  ネットワーク接続ユニット
１０２  プリンタユニット
１０３  ＦＡＸユニット
１０４  スキャナユニット
１０５  操作パネル
１０６  制御ユニット
１１１  Ｍｙパネル生成部
１１２  Ｍｙパネル取得部
１１３  表示制御部
１１４  言語制御部
２０１  送受信部
２０２  オプション構成記憶部
２０３  Ｍｙパネル記憶部
２０４  利用制限記憶部
２０５  制御部
３０１  ネットワーク接続ユニット
３０２  プリンタユニット
３０３  ＦＡＸユニット
３０４  スキャナユニット
３０５  操作パネル
３０６  制御ユニット
３１１  Ｍｙパネル取得部
３１２  表示制御部
【図１】
2011019090.tif 000003
【図２】
2011019090.tif 000004
【図３】
2011019090.tif 000005
【図４】
2011019090.tif 000006
【図５】
2011019090.tif 000007
【図６】
2011019090.tif 000008
【図７】
2011019090.tif 000009
【図８】
2011019090.tif 000010
【図９】
2011019090.tif 000011
【図１０】
2011019090.tif 000012
【図１１】
2011019090.tif 000013
【図１２】
2011019090.tif 000014
【図１３】
2011019090.tif 000015
【図１４】
2011019090.tif 000016
【図１５】
2011019090.tif 000017
【図１６】
2011019090.tif 000018
【図１７】
2011019090.tif 000019